(57)【要約】【課題】微細切除された手術部位を正確に圧迫するように着用する作業が非常に簡便に提供されるのは勿論、手術部位を圧着して止血する効果を倍加させる圧迫止血バンドの提供。【解決手段】空気注入による膨張によって、微細切除された手術部位を圧迫するバルーンと、前記バルーンの周囲に形成されたバンド部とを含んでなるが、前記バルーンは下端を広い面積の平坦部に形成してなることを特徴とする、圧迫止血バンドを提供する。【選択図】図３
2008126056.tif 000002
【特許請求の範囲】
【請求項１】
空気注入による膨張によって、微細切除された手術部位を圧迫するバルーン（１５）と、前記バルーンの周囲に形成されたバンド部（２０）とを含んでなるものにおいて、
前記バルーン（１５）は、微細切除された手術部位を膨張の際に直接圧迫する下端面を広い面積の平坦部（１６）に形成してなることを特徴とする、圧迫止血バンド。
【請求項２】
前記バルーンの平坦部（１６）は、手術部位が長く形成されるのを考慮して長方形にしてなることを特徴とする、請求項１に記載の圧迫止血バンド。
【請求項３】
前記バルーンの平坦部（１６）には下部中央に突出部（１７）を一体に突設してなることを特徴とする、請求項１に記載の圧迫止血バンド。
【請求項４】
前記バルーンの平坦部（１６）には下部中央に凹溝部（１８）を形成し、前記凹溝部に圧迫スポンジ（１９）を平坦部（１６）より突出する高さとなるように挿設してなることを特徴とする、請求項１に記載の圧迫止血バンド。
【請求項５】
前記バンド部（２０）は、両側に、マジックテープ（２２’、２３’）を有する延長部（２２、２３）を延設し、前記延長部を用いて手または足を包んで着用するように構成してなることを特徴とする、請求項１に記載の圧迫止血バンド。
【発明の詳細な説明】
【技術分野】
【０００１】
本発明は、経皮的血管成形術の後、或いは例えば大腿部、腕、手首、脇などの手術の後、微細切除した手術部位に付着させてバルーンの膨張によって切除部位を圧迫することにより止血する圧迫止血バンドに関する。
【背景技術】
【０００２】
一般に、経皮的血管成形術の後、或いは例えば大腿部、腕、手首、脇などを微細に切除して行う手術の後には、手術部位の止血が必要とされる。
【０００３】
このような手術部位の止血を従来では単純バンド、綿などを用いて行ったが、その止血効果が弱くて止血に多くの困難さがあった。
【０００４】
かかる問題点を解決するために、微細切除した手術部位を圧迫して止血効果を極大化する圧迫止血バンドが提示された。
【０００５】
この種の圧迫止血バンドは、図１及び図２に示すように、中央に空気注入弁２が連結されたバルーン３と、前記バルーンの周囲に形成されたバンド部５とを含んでなる。
【０００６】
このような圧迫止血バンドは、前記バルーン３の下端中央を、微細切除した手術部位に正確に位置させた状態で、バンド部５に接着する。
【０００７】
このような状態で前記バルーン３の空気注入弁２を介して空気を供給することにより前記バルーン３が膨張するが、前記バルーンは、バンド部５の接着支持力によって下方の微細切除された手術部位に膨張しながら手術部位を圧着して止血する。
【０００８】
ところが、上述した従来の圧迫止血バンドは、次のような問題点があった。
【０００９】
前記バルーン３が、半球状を有し、膨張の際に圧迫が集中する下端中央が狭くなるように形成されるため、バルーンの下端中央を微細切除された手術部位に正確に位置させることが非常に困難であり、これにより手術部位を効果的に圧迫できなくて止血効果が低下するという問題点があった。
【００１０】
また、前記バンド部５が身体に堅く接着または支持できない場合、バルーン３が手術部位を効果的に圧迫することができなくて止血効果が低下するという問題点があった。
【発明の開示】
【発明が解決しようとする課題】
【００１１】
そこで、本発明は、上述した従来の技術の諸般問題点を解決するために創案されたもので、その目的とするところは、バルーンの膨張の際に手術部位を圧迫する部位を広い面積に形成するので、微細切除された手術部位を正確に圧迫するように着用する作業が非常に簡便に提供され、これにより止血効果を極大化することにある。
【００１２】
また、本発明の他の目的は、バルーンの膨張の際に手術部位を圧迫する部位を多段に形成することにより、手術部位を圧迫する効果を高めて止血効果を極大化することにある。
【００１３】
また、本発明の別の目的は、バンドが手術部位に付着及び着用されて圧迫する効果を高めて止血効果を極大化することにある。
【課題を解決するための手段】
【００１４】
上記目的は、空気注入による膨張によって、微細切除された手術部位を圧迫するバルーンと、前記バルーンの周囲に形成されたバンド部とを含んでなるが、前記バルーンは下端を広い面積の平坦部に形成してなることを特徴とする、圧迫止血バンドを提供することにより達成される。
【００１５】
また、前記平坦部の下端中央に突出部または凹溝部を形成し、ここに圧迫スポンジを挿入して構成することを特徴とする。
【００１６】
また、前記バンド部の両側端から延長する延長部を形成して手または足を包んで圧迫するように着用することを特徴とする。
【発明の効果】
【００１７】
上述したように、本発明の圧迫止血バンドは、微細切除された手術部位をバルーンの膨張の際に圧迫する部位を広い面積の平坦部に形成すること、前記平坦部の中央を突出させて多段圧迫構造を有すること、前記平坦部の中央に圧迫スポンジを挿入すること、及びバンド部で腕または足などを効果的に圧着するように着用することにより手術部位に正確に着用することが、従来に比べて非常に簡便に提供されるのは勿論のこと、手術部位の圧迫などによる止血効果を高めて使用上の信頼度を極大化する効果を持つ。
【発明を実施するための最良の形態】
【００１８】
以下に添付図面を参照しながら、本発明の好適な実施の形態について詳細に説明する。
【００１９】
すなわち、本発明の圧迫止血バンドは、図３及び図４に示すように、空気注入による膨張によって、経皮的血管成形術の後、或いは大腿部、腕、手首、脇などの手術の後、微細切除された手術部位を圧迫するバルーン１５と、前記バルーンの周囲に形成されたバンド部２０とを含んでなるものにおいて、前記バルーン１５は、微細切除された手術部位を膨張の際に直接圧迫する下端面を広い面積の平坦部１６に形成してなる。
【００２０】
この際、前記平坦部１６は、微細切除された手術部位が長く形成されることを考慮して長方形にすることが好ましい。
【００２１】
また、前記バンド部２０には接着剤を構成して接着し得るようにする。
【００２２】
前記バンド部２０は、バルーン１５の外側端に沿って上下に融着されるように接着されて連結構成される。
【００２３】
未説明符号１２はバルーンに空気を注入する空気注入弁を示し、２１はバンド部に付着している剥離紙を示す。
【００２４】
このような本発明の圧迫止血バンドは、経皮的血管成形術の後、或いは例えば大腿部、腕、手首、脇などを微細に切除して行う手術の後、前記手術部位を止血するために、接着バンド２０の剥離紙２１を除去した後、バルーン１５の下端の平坦部１６が手術部位に位置するように接着する。
【００２５】
このように手術部位に付着している状態で空気注入弁１２を介してバルーン１５に空気を供給すると、前記バルーン１５が膨張しながら手術部位を圧迫して止血する。
【００２６】
また、本発明の圧迫止血バンドは、前記バルーン１５の下端面を広い面積の平坦部１６にしているため、前記平坦部１６が傷部位に位置するように着用する過程が容易であると共に、傷部位を効果的に圧迫して止血効果が高められる。
【００２７】
特に前記バルーン１５の平坦部１６は、長方形に形成されているため、手術部位の切除された部位が長く形成されるのを考慮して手術部位に効果的に位置させて圧迫するので、止血効果をさらに高める。
【００２８】
一方、図５〜図７はそれぞれ本発明の他の実施例を示す。
【００２９】
図５の実施例では、前述した好適な実施例と比較してみるとき、前記バルーン１５の平坦部１６の下部中央に突出部１７を一体に突設した。これは、前記バルーン１５の膨張の際に平坦部１６によって圧迫する効果と共に、前記平坦部１６の中央に突設された突出部１７が多段で手術部位を圧迫する効果を持つため、止血効果をさらに極大化する。
【００３０】
また、図６の実施例では、前述した好適な実施例と比較してみるとき、前記バルーン１５の平坦部１６の下部中央に凹溝部１８を形成し、前記凹溝部に圧迫スポンジ１９を平坦部１６より突出する高さとなるように挿設した。これは、前記バルーン１５の膨張の際に、平坦部１６による圧迫と共に、前記平坦部１６の中央に突設された圧迫スポンジ１９が手術部位を圧迫して止血することにより、止血効果をさらに極大化する。
【００３１】
また、図７の実施例では、前述した好適な実施例と比較してみるとき、前記バンド部の両側に、マジックテープ(Velcro fastener)２２’、２３’を有する延長部２２、２３を延設し、この延長部を用いて腕や手首、足を包んで着用するように構成した。これは、バンド部２０に接着剤を構成して接着する場合に接着力が弱化すると、手術部位圧迫効果の低下を補完するためであり、前記バンド部２０の両側延長部２２、２３を用いて腕または足を包んだ状態でマジックテープ２２’、２３’によって付着させるので、バルーン１５が傷部位をさらに強く圧迫して止血効果を倍加させる。
【図面の簡単な説明】
【００３２】
【図１】従来の止血バンドを示す平面図である。
【図２】図１のバルーンを示す側断面図である。
【図３】本発明の平面図である。
【図４】本発明のバルーンを示す側断面図である。
【図５】本発明の他の実施例を示す側断面図である。
【図６】本発明の別の実施例を示す側断面図である。
【図７】本発明の別の実施例を示す平面図である。
【符号の説明】
【００３３】
１５    バルーン
１２    空気注入弁
１６    平坦部
１７    突出部
１８    凹溝部
１９    圧迫スポンジ
２０    バンド部
２２、２３    延長部
【図１】
2008126056.tif 000003
【図２】
2008126056.tif 000004
【図３】
2008126056.tif 000005
【図４】
2008126056.tif 000006
【図５】
2008126056.tif 000007
【図６】
2008126056.tif 000008
【図７】
2008126056.tif 000009